【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
磁気記憶媒体内における複数の領域のそれぞれにおいて瓦記録方式でデータを重ねて記録する情報処理装置であって、
前記磁気記憶媒体に関する所定の指示に応じて、書換え対象のデータが記憶されている領域に記憶されている、前記書換え対象のデータ以外のデータを、前記磁気記憶媒体内の別の領域であって、且つ前記書換え対象のデータが記憶されている領域とは別の領域にコピーするコピー手段と、
前記コピー手段が前記別の領域へ前記書換え対象のデータ以外のデータをコピーした後、前記書換え対象のデータ以外のデータが記憶されていた領域の少なくとも一部を未使用領域として管理する管理手段と、
を有することを特徴とする情報処理装置。
【請求項２】
前記コピー手段が前記書換え対象のデータ以外のデータを前記別の領域にコピーすることにより空きとなった領域に、前記書換え対象のデータを記憶する書き込み手段と、
前記書き込み手段による書き込みの後、前記書換え対象のデータが記憶されていた領域を所定のデータで上書きする上書き手段とを、更に有することを特徴とする請求項１に記載の情報処理装置。
【請求項３】
前記コピー手段が前記書換え対象のデータ以外のデータを前記別の領域にコピーすることにより空きとなった領域に、前記書換え対象のデータを記憶する書き込み手段と、
前記書き込み手段による書き込みの後、前記書換え対象のデータが記憶されていた領域のトラックを所定のデータで上書きして消去する上書き手段と、を更に有し、
前記管理手段は、前記トラックを未使用領域として登録することを特徴とする請求項１に記載の情報処理装置。
【請求項４】
前記コピー手段は、前記磁気記憶媒体のデータの消去が指示されると、消去対象のデータが記憶されている領域の前記消去対象のデータ以外のデータを前記磁気記憶媒体の空き領域にコピーすることを特徴とする請求項１に記載の情報処理装置。
【請求項５】
前記磁気記憶媒体のデータの消去が指示されると、消去対象のデータが記憶されている領域内で、当該消去対象のデータの後に記憶されている前記消去対象のデータ以外のデータを読み出す読出し手段を更に有し、
前記上書き手段は、更に、前記読出し手段により読み出した前記データで前記消去対象のデータの先頭から上書きし、
前記管理手段は、前記領域内で、前記上書き手段により上書きしたデータ以降の領域を未使用領域として管理することを特徴とする請求項２又は３に記載の情報処理装置。
【請求項６】
前記読出し手段により読み出した前記データの量が、前記消去対象のデータの量よりも少ない場合に、前記上書き手段で上書きされなかった前記消去対象のデータをダミーデータで上書きして消去する消去手段を更に有することを特徴とする請求項５に記載の情報処理装置。
【請求項７】
前記消去対象のデータが記憶されている領域内で、当該消去対象のデータの後に記憶されている前記消去対象のデータ以外のデータが存在しない場合、前記消去対象のデータをダミーデータで上書きして消去する消去手段を更に有することを特徴とする請求項５に記載の情報処理装置。
【請求項８】
前記登録手段により登録された内容に基づいて、有効データと未使用領域とが含まれている領域があるかどうかを判定する判定手段と、
前記判定手段により有効データと未使用領域とが含まれている領域と判定された領域のデフラグを行うクリーニング手段とを、更に有することを特徴とする請求項１に記載の情報処理装置。
【請求項９】
前記クリーニング手段は、
有効データと未使用領域とが含まれている前記領域のデータを空き領域にコピーした後、当該領域を未使用領域として登録するか、
有効データと未使用領域とが含まれている前記領域の前記未使用領域の先頭から、当該未使用領域の後に位置している有効データで上書きし、前記領域の当該上書きしたデータ以降の領域を未使用領域として登録することによりクリーニングを行うことを特徴とする請求項８に記載の情報処理装置。
【請求項１０】
前記磁気記憶媒体へのアクセス要求が連続して発生しない時間を計時する計時手段を更に有し、
前記判定手段及び前記クリーニング手段は、前記計時手段が所定時間を計時したときに起動されることを特徴とする請求項８に記載の情報処理装置。
【請求項１１】
磁気記憶媒体内における複数の領域のそれぞれにおいて瓦記録方式でデータを重ねて記録する情報処理装置を制御する制御方法であって、
前記磁気記憶媒体に関する所定の指示に応じて、書換え対象のデータが記憶されている領域に記憶されている、前記書換え対象のデータ以外のデータを、前記磁気記憶媒体内の別の領域であって、且つ前記書換え対象のデータが記憶されている領域とは別の領域にコピーするコピー工程と、
前記コピー工程が前記別の領域へ前記書換え対象のデータ以外のデータをコピーした後、前記書換え対象のデータ以外のデータが記憶されていた領域の少なくとも一部を未使用領域として管理する管理工程と、
を有することを特徴とする情報処理装置の制御方法。
【手続補正２】
【補正対象書類名】明細書
【補正対象項目名】発明の名称
【補正方法】変更
【補正の内容】
【発明の名称】情報処理装置と、その制御方法
【手続補正３】
【補正対象書類名】明細書
【補正対象項目名】０００１
【補正方法】変更
【補正の内容】
【０００１】
本発明は、情報処理装置と、その制御方法に関するものである。
【手続補正４】
【補正対象書類名】明細書
【補正対象項目名】００１１
【補正方法】変更
【補正の内容】
【００１１】
上記目的を達成するために本発明の一態様に係る情報処理装置は以下のような構成を備える。即ち、
磁気記憶媒体内における複数の領域のそれぞれにおいて瓦記録方式でデータを重ねて記録する情報処理装置であって、
前記磁気記憶媒体に関する所定の指示に応じて、書換え対象のデータが記憶されている領域に記憶されている、前記書換え対象のデータ以外のデータを、前記磁気記憶媒体内の別の領域であって、且つ前記書換え対象のデータが記憶されている領域とは別の領域にコピーするコピー手段と、
前記コピー手段が前記別の領域へ前記書換え対象のデータ以外のデータをコピーした後、前記書換え対象のデータ以外のデータが記憶されていた領域の少なくとも一部を未使用領域として管理する管理手段と、を有することを特徴とする。
【手続補正５】
【補正対象書類名】明細書
【補正対象項目名】００４８
【補正方法】変更
【補正の内容】
【００４８】
Ｓ４０４で制御部２０１は、図５のＢで示すように、コントローラ部１００のストレージ制御部１１２から受信した書き換えデータ５００を、ＨＤＤ１１０の磁気ディスク２１０の任意の空きゾーン５０３に書き込む。この空きゾーン５０３は、新規の未使用ゾーンでも追記可能な使用済みゾーンでも良い。図５では、新規の未使用ゾーンを使用する場合を例にして示している。
【手続補正６】
【補正対象書類名】明細書
【補正対象項目名】００５２
【補正方法】変更
【補正の内容】
【００５２】
［実施形態２］
次に本発明の実施形態２を説明する。実施形態２では、図７で、ゾーン７００内のデータ７０２を書換える際、そのゾーン７００の書換え対象データ以外（データ７０２以外）のデータを他の空きゾーン７０１にコピーするとともに、書換え対象データ７０２をそのコピーしたゾーン７０１に書き込む。そして、ゾーン７００内の書換え対象データ７０２が記憶されていたトラックをダミーデータで上書きすることにより、ゾーン７００を未使用領域として登録する。尚、実施形態２に係るコントローラ部１００、ＨＤＤ１１０の構成は前述の実施形態１と同じであるため、その説明を省略する。